(57)【要約】【課題】装置本体の設置場所を移動させるために装置本体自体を持ち上げた際に、一旦調整された設置角度がリセットされないように構成した。【解決手段】チルトステー６の係合部６ｂ−１、６ｃ−１が両係合歯部２Ａ、２Ｂにそれぞれ係合している状態において、装置本体１１を持ち上げた際に、第１の庇状部８に一方の係合部６ｂ−１が引っ掛かって、係合部６ｂ−１、６ｃ−１の係合歯部２Ａ、２Ｂへの係合状態を保持することによって、装置本体１自体を持ち上げたとしても設置角度がリセットされることなく、また、付勢手段１４に抗して係合部６ｂ−１、６ｃ−１における各係合歯部２Ａ、２Ｂへの係合状態を解除した際に、一方の係合部６ｂ−１における第１の庇状部８による遮蔽状態を解除できるようにした。【選択図】図２
2008115925.tif 000002
【特許請求の範囲】
【請求項１】
電子機器の装置本体の背面側に揺動可能に取付けられて設置面に設置されるチルト脚部材及び該チルト脚部材と共働して前記装置本体を所定の傾斜角度に支えるチルトステーを有するチルト支脚と、前記チルトステーに形成した係合部が選択的に係脱可能に係合することによって前記装置本体を複数段階チルトさせる係合歯部を前記装置本体の背面側に縦列に複数形成して構成された係合歯列と、前記チルトステーの係合部を前記係合歯列側への係合方向に付勢する付勢手段とを備えて構成する電子機器のチルト装置であって、
前記チルトステーは、一端部が前記チルト脚部材に枢着されているとともに、他端部が互いに前記装置本体の横列方向に離間対向する一対の係合片部を形成し、該両係合片部は、前記装置本体の横列方向外側の壁面側にそれぞれ前記係合部が形成されており、
また、前記係合歯列は、係合歯部を前記両係合部がそれぞれ係合可能にするために、前記装置本体の背面側に互いに離間対向するように縦列に一対並設することにより構成し、
前記一対の係合歯列のうち、少なくとも一方の係合歯列には、前記装置本体の背面側に面する側を遮蔽する第１の庇状部が形成されており、
前記両係合部が前記両係合歯列の係合歯部にそれぞれ係合している状態において、前記装置本体を持ち上げた際に、前記第１の庇状部に前記一方の係合部が引っ掛かって、両係合部の前記係合歯部への係合状態を保持し、且つ、前記付勢手段に抗して前記両係合部における前記各係合歯部への係合状態を解除した際に、前記一方の係合部における前記一方の係合片部の係合部に対する前記第１の庇状部による遮蔽状態を解除できるように構成したことを特徴とする電子機器のチルト装置。
【請求項２】
前記一対の係合歯列のうち、一方の係合歯列における前記他方の係合歯列側に隣接する位置において、前記一方の係合部が前記装置本体の縦列方向にスライド可能とする第１のスライドガイド溝を前記装置本体の背面側に形成するとともに、
前記他方の係合歯列における前記一方の係合歯列とは反対側に隣接するように、前記チルトステーの他方の係合部が前記装置本体の縦列方向にスライド可能とする第２のスライドガイド溝を前記装置本体の背面側に形成し、
更に、前記チルトステーが、前記チルト脚部材にピン部材を介して枢着されているとともに、前記ピン部材に対して前記装置本体の横列方向にスライド可能に構成されおり、
前記チルトステーを前記付勢手段の付勢力に抗して前記ピン部材に対してスライドさせることによって、前記両係合部がそれぞれ前記両係合歯列の各係合歯部との係合が離脱されて前記両スライドガイド溝内において前記装置本体の縦列方向にそれぞれ移動可能に構成したことを特徴とする請求項１記載の電子機器のチルト装置。
【請求項３】
前記第２のスライドガイド溝における前記装置本体の背面側に面する側を遮蔽する第２の庇状部を、前記装置本体の背面側に形成したことを特徴とする請求項２記載の電子機器のチルト装置。
【請求項４】
前記付勢手段は、前記チルトステーにおける一対の係合片部の間に位置するように形成されたばね片部と、前記第１のスライドガイド溝と前記他方の係合歯列との間に前記第１のスライドガイド溝に沿って延在するように前記装置本体に形成された起立壁とで構成し、
該起立壁に前記ばね片部を弾接させることによって前記両係合部における前記係合歯部への係合関係を保持するように構成されており、
前記チルトステーが前記ピン部材に対して前記立壁方向にスライド移動した際に、前記ばね片部を前記散るとステーの一方の係合片部方向に揺動させると共に、前記両係合部における前記各係合歯列との係合関係が解除されるように構成したことを特徴とする請求項２又は３に記載の電子機器のチルト装置。                                                                 
【発明の詳細な説明】
【技術分野】
【０００１】
本発明は、表示部とこの表示部への表示を操作する表示操作部を有する電子機器を段階的に傾動させる電子機器のチルト装置に関する。
【背景技術】
【０００２】
従来、表示機能や操作機能を有する機器により構成される電子機器のチルト装置として、図１９及び図２０に記載されたものが知られている。
【０００３】
これによれば、装置本体ａに揺動可能に取付られて設置面に設置されるチルト脚部材ｂ及びチルト脚部材ｂと共働して装置本体ａを所定の傾斜角度に支えるチルトステーｃを有するチルト支脚ｄと、チルト支脚ｄのチルトステーｃが選択的に係脱可能に係合する複数の係止歯ｅを縦列に形成した係止歯列ｆと、チルト支脚ｄのチルトステｃを係止歯列ｆ側に付勢する付勢手段（不図示）とを備えて構成し、且つ、係止歯列ｆに並列するスライド溝部ｇを装置本体ａの背面に形成し、スライド溝部ｇの上端部にスライド溝部ｇから係止歯列ｆにチルトステーｃを移行させる上側切替案内部ｈを設けるとともに、係止歯列ｆの下端部に係止歯列ｆからスライド溝部ｇにチルトステーｃを移行させる下側切替案内部ｉとを設けて構成していた。
【０００４】
かかる構成において、下側切替案内部ｉがチルトステーｃを係止歯列ｆからスライド溝部ｇに移行させ、この状態で、装置本体ａを後傾操作することによりチルトステーｃをスライド溝ｋ内において走らせて上側切替案内部ｈに至らしめ、上側切替案内部ｈが、チルトステーｃをスライド溝部ｋから係止歯列ｆに移行させ過程において、装置本体ａを前、後傾操作することにより選択的に所定角度に保持することが可能に構成したものである（特許文献１参照、他に類似する技術を開示するものとして、特許文献２及び３等がある）。
【特許文献１】特開平９−２１９５９１号公報。
【特許文献２】特開平１０−１４３０８６号公報。
【特許文献３】特開平１０−１４５０５２号公報。
【発明の開示】
【発明が解決しようとする課題】
【０００５】
かかる構成においては、係止歯ｅにおける上面が傾斜面ｊに形成されているとともに下面を係止面部ｋに形成することによって、装置本体ａにおける設置面に対する角度を大きくする場合には、装置本体ａを引き上げながらチルトステーｃが上部側の係止歯ｅに移動係合させることによって段階的に角度調整することができるものであるが、装置本体ａにおける設置面に対する角度を小さくする場合には、一旦、装置本体ａにおける設置面に対する角度が最大になるまで、装置本体ａを持ち上げることによってチルトステーｃを上側切替案内部ｈまで移動させた後、スライド溝ｇ内を下方にスライドさせて、下側切替案内部ｉ側に移動させて、装置本体ａを最小角度になるまで戻し、再びチルトステーｃを係止歯列ｆに係合復帰させ、新たに、装置本体ａを持ち上げながら所望の角度に調整する必要があり、非常に煩わしかった。
【０００６】
また、上記従来の技術においては、装置本体ａを異なる設置場所に移動しようした際には装置本体ａだけ持って持ち上げてしまうと、チルトステーｃにおける係合部ｆとの係合関係が解除されてしまい、折角電子機器の当該オペレータに適切な角度で保持されていた装置本体ａの設置角度が最小角度にリセットされてしまい、新たな設置場所において改めて装置本体ａの設置角度を調整し直す必要があり、やはり非常に煩わしかった。
【０００７】
そこで、本発明は、かかる点に鑑み、第１に、装置本体の設置場所を移動させるために装置本体自体を持ち上げた際に、一旦調整された設置角度がリセットされないように構成した電子機器のチルト装置を提供することを目的としている。
【０００８】
また、本発明は、第２に、装置本体の設置角度を大きくする場合だけでなく小さくする場合にも簡単に角度調整が可能となるように構成した電子機器のチルト装置を提供することを目的としている。
【課題を解決するための手段】
【０００９】
上記第１の目的を達成するために、請求項１に記載の本発明に係る電子機器のチルト装置は、電子機器の装置本体の背面側に揺動可能に取付けられて設置面に設置されるチルト脚部材及び該チルト脚部材と共働して前記装置本体を所定の傾斜角度に支えるチルトステーを有するチルト支脚と、前記チルトステーに形成した係合部が選択的に係脱可能に係合することによって前記装置本体を複数段階チルトさせる係合歯部を前記装置本体の背面側に縦列に複数形成して構成された係合歯列と、前記チルトステーの係合部を前記係合歯列側への係合方向に付勢する付勢手段とを備えて構成する電子機器のチルト装置であって、前記チルトステーが、一端部が前記チルト脚部材に枢着されているとともに、他端部が互いに前記装置本体の横列方向に離間対向する一対の係合片部を形成し、該両係合片部には、前記装置本体の横列方向外側の壁面側にそれぞれ前記係合部が形成されており、また、前記係合歯列が、係合歯部を前記両係合部がそれぞれ係合可能にするために、前記装置本体の背面側に互いに離間対向するように縦列に一対並設することにより構成し、前記一対の係合歯列のうち、少なくとも一方の係合歯列には、前記装置本体の背面側に面する側を遮蔽する第１の庇状部が形成されており、前記両係合部が前記両係合歯列の係合歯部にそれぞれ係合している状態において、前記装置本体を持ち上げた際に、前記第１の庇状部に前記一方の係合部が引っ掛かって、両係合部の前記係合歯部への係合状態を保持し、且つ、前記付勢手段に抗して前記両係合部における前記各係合歯部への係合状態を解除した際に、前記一方の係合部における前記一方の係合片部の係合部に対する前記第１の庇状部による遮蔽状態を解除できるように構成したことを特徴とするものである。
【００１０】
かかる構成により、付勢手段の付勢力に付勢されてチルトステーの両係合部が各係合歯列の係合歯部にそれぞれ係合している際には、装置本体を移動すべく持ち上げたとしても、散るとステーの一方の係合部が第１の庇状部に引っ掛かって、両係合部の各係合歯部への係合状態が保持されていることになって、装置本体の設置角度がリセットされることなく、新たな移動場所での設置角度調整を不要とする。
【００１１】
また、上記第２の目的を達成するために、請求項２に記載の本発明に係る電子機器のチルト装置は、請求項１に記載の発明において、前記一対の係合歯列のうち、一方の係合歯列における前記他方の係合歯列側に隣接する位置において、前記一方の係合部が前記装置本体の縦列方向にスライド可能とする第１のスライドガイド溝を前記装置本体の背面側に形成するとともに、前記他方の係合歯列における前記一方の係合歯列とは反対側に隣接するように、前記チルトステーの他方の係合部が前記装置本体の縦列方向にスライド可能とする第２のスライドガイド溝を前記装置本体の背面側に形成し、更に、前記チルトステーが、前記チルト脚部材にピン部材を介して枢着されているとともに、前記ピン部材に対して前記装置本体の横列方向にスライド可能に構成されおり、前記チルトステーを前記付勢手段の付勢力に抗して前記ピン部材に対してスライドさせることによって、前記両係合部がそれぞれ前記両係合歯列の各係合歯部との係合が離脱されて前記両スライドガイド溝内において前記装置本体の縦列方向にそれぞれ移動可能に構成したことを特徴とするものである。
【００１２】
かかる構成により、本発明は、装置本体の設置角度を変更するに際しては、チルトステーをチルト脚部材に対して付勢手段の付勢力に抗してスライドさせるだけで、両係合部が各スライドガイド溝内に移行し、各スライドガイド溝内を移動して、装置本体に対して上下移動することとになることから、装置本体の設置角度を大きくする場合だけでなく小さくする場合にも、チルト支脚を手で支えるような動作を必要とせずに、装置本体の持ち上げ或いは押し下げるだけで、角度調整が簡単に可能となる。
【００１３】
また、請求項３に記載の本発明にかかる電子機器のチルト装置は、請求項２に記載の発明において、前記第２のスライドガイド溝における前記装置本体の背面側に面する側を遮蔽する第２の庇状部を、前記装置本体の背面側に形成したことを特徴とするものである。
【００１４】
かかる構成により、付勢手段の付勢力に抗して、両係合部を各スライド溝内にガイドされてスライド移動させた際に、他方の係止部が第２の庇状部に引っ掛かることによって、チルトステーの係合部は、装置本体から離れることがなく各スライド溝内を移動することができ、装置本体の角度調整をさらに容易且つ簡単にすることができる。
【００１５】
また、請求項４に記載の本発明にかかる電子機器のチルト装置は、請求項２又は３に記載の発明における付勢手段が、前記チルトステーにおける一対の係合片部の間に位置するように形成されたばね片部と、前記第１のスライドガイド溝と前記他方の係合歯列との間に前記第１のスライドガイド溝に沿って延在するように前記装置本体に形成された起立壁とで構成し、該起立壁に前記ばね片部を弾接させることによって前記両係合部における前記係合歯部への係合関係を保持するように構成されており、前記チルトステーが前記ピン部材に対して前記立壁方向にスライド移動した際に、前記ばね片部を前記散るとステーの一方の係合片部方向に揺動させると共に、前記両係合部における前記各係合歯列との係合関係が解除されるように構成したことを特徴とするものである。
【００１６】
かかる構成によれば、チルトステーがピン部材上を装置本体の横列方向にスライド移動することにより、ばね片部がその付勢力に抗して一方の係合片側方向に揺動させることによって、両係合部における各係合歯列との係合関係が解除され、その後チルトステーを離せば、ばね片部の付勢力により、再び両係合部が各係合歯列にそれぞれ係合させることができ、装置本体の設置角度調整が非常に簡単にできる。
【００１７】
しかも、付勢手段をチルトステーに一体に形成したばね片部及び装置本体側に形成した起立壁とで構成したことから、付勢手段の構成を非常に簡略化でき、装置本体への取り付け工数をほとんど要せずに組み付けることができる。
【発明の効果】
【００１８】
上記のように構成する本発明において、付勢手段の付勢力に付勢されてチルトステーの両係合部が各係合歯列の係合歯部に係合している際には、装置本体を移動すべく持ち上げたとしても、チルトステーの一方の係合部が第１の庇状部に引っ掛かって、両係合部の各係合歯列への係合状態が保持されていることになって、装置本体の設置角度がリセットされることなく、新たな移動場所での設置角度調整を不要とすることができる。
【発明を実施するための最良の形態】
【００１９】
次に、図を用いて、本発明を実施するための最良の実施の形態について説明する。
【００２０】
図１は、本発明に係る実施の形態を採用した電子機器の正面側から描画した斜視図、図２は同じく背面側から描画した斜視図、図３は同じくチルト支脚を取外した状態における電子機器の背面図、図４は図３における要部拡大図、図５は図４のＡ−Ａ断面図、図６は図４のＢ−Ｂ断面図、図７は図４のＣ−Ｃ断面図、図８は図４のＤ−Ｄ断面図、図９は図４のＥ−Ｅ断面図、図１０は同じく電子機器の裏面側における一方の係合歯列部付近を拡大して描画した斜視図、図１１は同じく電子機器の裏面側における他方の係合歯列部付近を拡大して描画した斜視図、図１２は同じくチルト支脚の分解斜視図、図１３はチルト支脚の要部を拡大して描画した正面図、図１４は同じくチルト支脚の要部背面図、図１５は同じくチルト支脚の係合状態を一部破断して描画した要部背面図、図１６は同じくチルト支脚の非係合状態を一部破断して描画した要部背面図、図１７は同じくチルト支脚により設置面に対して最大角度に調整された電子機器を一部破断して描画した側面図、図１８は同じく電子機器の角度調整状態を説明するための説明図である。
【００２１】
図において、電子機器を構成する装置本体１は、上下ケース１−１、１−２を有して、正面１Ａには表示部であるディスプレイ１ａ、ディスプレイ１ａの表示を操作する表示操作部である各種ボタン１ｂ或いはスピーカ１ｃ等を備えて構成しており、更に、下端両側に複数の縦スリットからなる接地部１ｅが形成されている。
【００２２】
装置本体１の背面１Ｂ側には、チルト装置Ｔが設けてある。
【００２３】
チルト装置Ｔは、裏面１Ｂの左右両側に設置された係合歯列２と、裏面１Ｂの左右両側における係合歯列２に対して下方で且つ装置本体１の接地部１ｄの上方にそれぞれ位置する一対のチルト支脚枢支部３と、各チルト支脚枢支部３に着脱可能に連結されるチルト支脚４とから略構成されている。
【００２４】
両チルト支脚４は、装置本体１のチルト支脚枢支部３に着脱可能に且つ揺動可能に取付けられて設置面１０に設置されるチルト脚部材５と、チルト脚部材５と共働して装置本体１を所定の傾斜角度に支えるチルトステー６とで構成している。
【００２５】
チルトステー６は、図１２及び図１３に示すように、下端側である一端側には枢着部４ａに形成され、枢着部４ａに遊嵌挿通したピン部材７を介してチルト支脚４の略中央部に形成した開口凹部５ａ内において挿入枢着されており、ピン部材７の軸線上を装置本体１の横列方向にスライド可能に構成されている。
【００２６】
チルトステー６の上端側である他端側は、装置本体１の横列方向に離間対向するように、一対の係合片部６ｂ、６ｃが形成され、係合片部６ｂ、６ｃにおける装置本体１の横列方向外側には、それぞれ突起状の係合部６ｂ−１、６ｃ−１がそれぞれ形成されている（特に図１４参照）。
【００２７】
チルトステー６の他端側における両係合片部６ｂ、６ｃの間に離間状態で存するように、ばね片部６ｄが一体に形成されている。
【００２８】
チルト脚部材５は、一端側にチルト支脚枢支部３に枢着される揺動軸５ｂが一体に形成され、他端側が設置部５ｃとなって、ゴム足５ｄがビス５ｅによって螺着されている。
【００２９】
左右の係合歯列２は同構成であり、これら係合歯列２は、それぞれ装置本体１の背面に一体に形成されている。
【００３０】
そして、係合歯列２は、図４ないし図６に示すように、チルトステー６の係合片部６ｂの係合部６ｂ−１および係合片部６ｃの係合部６ｃ−１がそれぞれ係合可能とするように、装置本体１の背面１Ｂ側の互いに離間対向する縦列に複数の係合歯部２Ａ、２Ｂを並設することによって構成している。
【００３１】
各係合歯部２Ａ、２Ｂは、チルトステー６の係合部６ｂ−１、６ｃ−１が選択的に係脱可能に係合することによって装置本体１を複数段階にチルトさせるように構成している。
【００３２】
両係合歯部２Ａ、２Ｂのうち、一方の係合歯部２Ａは、装置本体１の裏面側に面する側に形成された第１の庇状部８によって遮蔽されている（特に、図１０参照）。
【００３３】
更に、一方の係合歯列２Ａにおける他方の係合歯部２Ｂ側に隣接する位置における装置本体１の背面１Ｂには、一方の係合部６ｂ−１が装置本体１の縦列方向にスライド可能とする第１のスライド溝１１が形成されている。
【００３４】
また、他方の係合歯部２Ｂにおける一方の係合歯部２Ａとは反対側に隣接するように、装置本体１１の裏面１Ｂには、他方の係合歯部２Ｂが装置本体１の縦列方向にスライド可能とする第２のスライド溝１２が形成されている。
【００３５】
第２のスライド溝１２は、装置本体１の裏面側に面する側に形成された第２の庇状部９によって遮蔽されている（特に図１１参照）。
【００３６】
第１のスライド溝１１と他方の係合歯部２Ｂとの間における装置本体１には、第１のスライド溝１１に沿って延在し且つ他方の係合歯部２Ｂに添設されるように起立壁１３が形成されており、起立壁１３にばね片部６ｄが弾接することによって、係合部６ｂ−１、６ｂ−２における係合歯部２Ａ、２Ｂへの係合関係を付勢力を持って保持する付勢手段１４を構成している。
【００３７】
上記のように構成する場合、図１５に示すように、チルトステー６は、両係合片部６ｂ、６ｃの係合部６ｂ−１、６ｃ−１が、それぞれ、係合歯列２の係合歯部２Ａ、２Ｂの一つに係合することによって、チルト脚部材５と共働して、装置本体１を所定角度、たとえば図１８に示すように、設置面１０に対して８０°ないし４０°の設置角度に調整選択することができる。
【００３８】
そして、図１５に示す係合部６ｂ−１、６ｃ−１がそれぞれ係合歯部２Ａ、２Ｂの一つに係合する状態から、別の係合歯部２Ａ、２Ｂに係合させて、装置本体１の設置角度を変更する場合、図１５の矢印方向の力をチルトステー６に加えることによって、チルトステー６にピン部材７上を移動する。
【００３９】
この結果、図１６に示すように、両係合部６ｂ−１、６ｃ−１が一の係合歯部２Ａ、２Ｂとの係合関係が解除されて第１のスライド溝１１及び第２のスライド溝１２にそれぞれ移動して、ばね片部６ｄが付勢力に抗して一方の係合片部６ｂ側方向に揺動すると共に、第１の庇状部による遮蔽状態を解除できることになる。
【００４０】
このような状態を保持したまま、チルトステー５を図１６の矢印方向（装置本体１の上下方向）に移動させると、チルトステー５におけるチルト脚部材５に対する屈曲角度が変更され、この状態でチルトステー６を離せば、ばね片部６ｄの付勢力によって両係合部６ｂ−１、６ｃ−１が他の係合歯部２Ａ、２Ｂに係合することになって、装置本体１１の設置面部１０ｄとの設置角度をオペレータが求める所定設置角度に選択することができることになる。
【００４１】
そして、チルトステー６の両係合部６ｂ−１、６ｃ−１が各係合歯部２Ａ、２Ｂに係合している際には、装置本体１１を移動すべく持ち上げたとしても、一方の係合部６ｂ−１が第１の庇状部８に引っ掛かって、両係合部６ｂ−１、６ｃ−１の各係合歯部２Ａ、２Ｂへの係合状態が保持されていることになって、装置本体１１の設置角度がリセットされることなく、新たな移動場所での設置角度調整を不要とする。
【００４２】
また、装置本体１１の設置角度を変更するに際しては、チルトステー６にチルト脚部材５に対してピン部材７上をスライドさせるだけで、両係合部２Ａ、２Ｂを各スライドガイド溝１１、１２内に移動させて、チルトステー６の係合部２Ａ、２Ｂを装置本体１１に対して上下移動させることができることになり、装置本体１１の設置角度を大きくする場合だけでなく小さくする場合にも、チルト支脚５を手で支えているようなことをしなくても、装置本体１１の持ち上げ或いは押し下げるだけで、角度調整が簡単に可能となる。
【００４３】
また、付勢手段１４を構成するばね片部６ｄの付勢力に抗して、両係合部２Ａ、２Ｂを各スライド溝１１、１２内にスライド移動させた際に、他方の係止部６ｃ−１が第２の庇状部１２に引っ掛かることによって、チルトステー６の係合部２Ａ、２Ｂは、装置本体１１から離れることがなく各スライド溝１１、１２内を移動することができ、装置本体１１の角度調整をさらに容易且つ簡単にすることができる。
【００４４】
また、チルトステー６がピン部材７上をスライド移動して、ばね片部６ｄを起立壁１３に対して揺動させることによって、ばね片部６ｄに付勢力を付与しながら、両係合部６ｂ−１、６ｃ−１における各係合歯部２Ａ、２Ｂとの係合関係を解除することができ、その後チルトステー６を離せば、ばね片部６ｄの付勢力により、再び両係合部６ｂ−１、６ｃ−１が各係合歯部２Ａ、２Ｂにそれぞれ係合させることができ、装置本体１１の設置角度調整が非常に簡単にできる。
【００４５】
しかも、付勢手段１４をチルトステー６に一体に形成したばね片部６ｄ及び装置本体１側に形成した起立壁１３とで構成したことから、付勢手段１４の構成を非常に簡略化でき、装置本体１への取り付け工数をほとんど要せずに組み付けることができる。
【産業上の利用可能性】
【００４６】
以上説明したように、本発明は、チルトステーの両係合部が各係合歯列に係合している際には、装置本体を移動すべく持ち上げたとしても、一方の係合部が第１の庇状部に引っ掛かって、両係合部の各係合歯列への係合状態が保持されていることになって、装置本体の設置角度がリセットされることなく、新たな移動場所での設置角度調整を不要とすることができるために、表示部とこの表示部への表示を操作する表示操作部を有する電子機器を段階的に傾動させる電子機器のチルト装置等に好適である。
【図面の簡単な説明】
【００４７】
【図１】本発明に係る実施の形態を採用した電子機器の正面側から描画した斜視図である。
【図２】同じく背面側から描画した斜視図である。
【図３】同じくチルト支脚を取外した状態における電子機器の背面図である。
【図４】図３における要部拡大図である。
【図５】図４のＡ−Ａ断面図である。
【図６】図４のＢ−Ｂ断面図である。
【図７】図４のＣ−Ｃ断面図である。
【図８】図４のＤ−Ｄ断面図である。
【図９】図４のＥ−Ｅ断面図である。
【図１０】同じく電子機器の裏面側における一方の係合歯列部付近を拡大して描画した斜視図である。
【図１１】同じく電子機器の裏面側における他方の係合歯列部付近を拡大して描画した斜視図である。
【図１２】同じくチルト支脚の分解斜視図である。
【図１３】チルト支脚の要部を拡大して描画した正面図である。
【図１４】同じくチルト支脚の要部背面図である。
【図１５】同じくチルト支脚の係合状態を一部破断して描画した要部背面図である。
【図１６】同じくチルト支脚の非係合状態を一部破断して描画した要部背面図である。
【図１７】同じくチルト支脚により設置面に対して最大角度に調整された電子機器を一部破断して描画した側面図である。
【図１８】同じく電子機器の角度調整状態を説明するための説明図である。
【図１９】従来における電子機器の背面側から描画した斜視図である。
【図２０】図１９におけるチルト支脚を取外した状態における電子機器の一部背面図である。
【符号の説明】
【００４８】
１    装置本体
１Ａ  正面
１Ｂ  背面
２    係合歯列
２Ａ  一方の係合歯部
２Ｂ  他方の係合歯部
４    チルト支脚
５    チルト脚部材
６    チルトステー
６ｂ、６ｃ  係合片部
６ｂ−１、６ｃ−１  係合部
７    ピン部材
８    第２の庇状部
９    第２の庇状部
１０    設置面
１１    第１のスライド溝
１２    第２のスライド溝
１３    起立壁
１４    付勢手段
Ｔ    チルト装置
【図１】
2008115925.tif 000003
【図２】
2008115925.tif 000004
【図３】
2008115925.tif 000005
【図４】
2008115925.tif 000006
【図５】
2008115925.tif 000007
【図６】
2008115925.tif 000008
【図７】
2008115925.tif 000009
【図８】
2008115925.tif 000010
【図９】
2008115925.tif 000011
【図１０】
2008115925.tif 000012
【図１１】
2008115925.tif 000013
【図１２】
2008115925.tif 000014
【図１３】
2008115925.tif 000015
【図１４】
2008115925.tif 000016
【図１５】
2008115925.tif 000017
【図１６】
2008115925.tif 000018
【図１７】
2008115925.tif 000019
【図１８】
2008115925.tif 000020
【図１９】
2008115925.tif 000021
【図２０】
2008115925.tif 000022